(57)【要約】      （修正有）【課題】支柱に照明装置が装備された柵体において、照明装置への電気配線の敷設工事やメンテナンスを容易にする照明装置の配線構造を提供する。【解決手段】防護柵１の横桟の一つを中空状の配線用管体１１とし、配線用管体を通して照明装置６への電気配線１６を行うとともに、配線用管体を、支柱２に固定される第一管部材と、第一管部材に着脱自在に取付けられる第二管部材とを用いて構成した。【選択図】図１
0003204268.tif 000002
【実用新案登録請求の範囲】
【請求項１】
間隔を存して配設される複数の支柱と、これら支柱間に架設される横桟と、支柱に装備される照明装置とを備えてなる柵体において、前記横桟の少なくとも一つを中空状の管体を用いて形成し、該中空状の管体内を通して前記照明装置への電気配線を行う構成にするとともに、中空状の管体は、該管体の軸方向に沿って分割された第一管部材と第二管部材とを用いて形成され、第二管部材は、支柱に固定された第一管部材に着脱自在に取付けられる構成であることを特徴とする柵体における照明装置の配線構造。
【請求項２】
請求項１において、中空状の管体はアルミ製であることを特徴とする柵体における照明装置の配線構造。
【考案の詳細な説明】
【技術分野】
【０００１】
本考案は、防護柵等の柵体における照明装置の配線構造の技術分野に関するものである。
【背景技術】
【０００２】
一般に、車道と歩道の境界や、水路と道路の境界、池の周囲等に設けられる防護柵等の柵体は、所定間隔を存して配設される支柱を用いて構成されるが、これら支柱に、柵体自体の視認性を高めたり、歩行者の足元を照らしたりするために照明装置を設けたものがある。このような照明装置付きの柵体において、照明装置に給電するための電気配線を行う場合には、照明装置が設けられる支柱間に亘って配線する必要があるとともに、不用意な断線等を回避するために保護された状態で配線する必要がある。そこで、従来、各支柱の下方を亘るようにして地中に電線を埋設し、該埋設された電線から各支柱の照明装置に配線して給電するようにしたものが知られている（例えば、特許文献１参照）。
【先行技術文献】
【特許文献】
【０００３】
【特許文献１】特開２００３−２７３３８７号公報
【考案の概要】
【考案が解決しようとする課題】
【０００４】
しかしながら、前記特許文献１のように電線を地中に埋設する場合には、柵体の設置工事と同時に電線の埋設工事を行わなければならず、工数が増加して施工時間やコストの増加を招来するという問題がある。さらに、電気系統に不具合が生じた場合等のメンテナンスが困難であるという問題もあり、これらに本考案の解決すべき課題がある。
【課題を解決するための手段】
【０００５】
本考案は、上記の如き実情に鑑みこれらの課題を解決することを目的として創作されたものであって、請求項１の考案は、間隔を存して配設される複数の支柱と、これら支柱間に架設される横桟と、支柱に装備される照明装置とを備えてなる柵体において、前記横桟の少なくとも一つを中空状の管体を用いて形成し、該中空状の管体内を通して前記照明装置への電気配線を行う構成にするとともに、中空状の管体は、該管体の軸方向に沿って分割された第一管部材と第二管部材とを用いて形成され、第二管部材は、支柱に固定された第一管部材に着脱自在に取付けられる構成であることを特徴とする柵体における照明装置の配線構造である。
請求項２の考案は、請求項１において、中空状の管体はアルミ製であることを特徴とする柵体における照明装置の配線構造である。
【考案の効果】
【０００６】
請求項１の考案とすることにより、照明装置への電気配線の配線工事やメンテナンスを容易且つ短時間で行えることになるとともに、横桟を利用して電気配線を行えることになって、部材の兼用化、コスト軽減に貢献できる。
請求項２の考案とすることにより、配線用管体の内部に配される電気配線を確実に保護できるとともに、防護柵の横桟としての強度にも優れる。
【図面の簡単な説明】
【０００７】
【図１】防護柵の正面図である。
【図２】（Ａ）は図１のＸ−Ｘ断面図、（Ｂ）は（Ａ）の要部拡大図である。
【図３】要部水平断面図である。
【考案を実施するための形態】
【０００８】
以下、本考案の実施の形態について、図面に基づいて説明する。図において、１は車道と歩道の境界や、水路と道路と境界、池の周囲等に設けられる防護柵（本考案の柵体に相当する）であって、該防護柵１は、所定間隔を存して地面Ｇに立設される複数の支柱２と、これら支柱２間に架設される後述の横桟とを用いて構成されている。
【０００９】
ここで、本実施の形態では、前記複数の支柱２として、防護柵１の端部に配される中空四角柱形状の端末支柱２Ａと、防護柵１の中間部において交互に配される第一、第二中間支柱２Ｂ、２Ｃとが設けられている。そして、端末支柱２Ａは、一次電線（外部電線）４に接続される電源ボックス５を備える一方、第一中間支柱２Ｂは、該電源ボックス５から給電される照明装置６を備え、第二中間支柱２Ｃは照明装置６を備えていない構成になっている。尚、前記端末支柱２Ａ、第一中間支柱２Ｂ、第二中間支柱２Ｃは本発明の支柱を構成するとともに、本実施の形態の説明において、これら端末支柱２Ａ、第一中間支柱２Ｂ、第二中間支柱２Ｃを総称して支柱２と称し、また、第一中間支柱２Ｂ、第二中間支柱２Ｃを総称して中間支柱２Ｂ、２Ｃと称する。
【００１０】
前記中間支柱２Ｂ、２Ｃは、地面Ｇから立設される左右一対の四角柱形状の支柱部材７ａ、７ｂと、これら支柱部材７ａ、７ｂの下部同士を連結する連結部材７ｃとを用いて構成されている。さらに、これら中間支柱２Ｂ、２Ｃのうち第一中間支柱２Ｂの左右の支柱部材７ａ、７ｂ間の下半部には、ＬＥＤを用いて構成される照明装置６が、取付ブラケット８を介して左右の支柱部材７ａ、７ｂの前面よりも前方に突出する状態で取付けられており、該照明装置６によって、防護柵１自体の視認性を高めたり、歩行者の足元を照らしたりすることができるようになっている。
【００１１】
一方、１０は支柱２（端末支柱２Ａ、第一中間支柱２Ｂ、第二中間支柱２Ｃ）の上下方向中間部間に架設される上下方向複数本のワイヤー、１１は支柱２の下部間に架設される配線用管体（本考案の中空状の管体に相当する）であって、これらワイヤー１０および配線用管体１１は、共に支柱２間に架設される横桟を構成するものであり、これらの横桟（ワイヤー１０、配線用管体１１）によって、防護柵１の安全性向上や支柱２の補強が図られている。尚、本実施の形態では、便宜上、横桟の長手方向を左右方向とし、また、左右の支柱部材７ａ、７ｂに対して照明装置６の取付け側を前側、あるいは正面側とし、その反対側を後側、あるいは背面側として説明する。また、図中、９は前記複数の支柱２の上端部間に架設される笠木である。
【００１２】
前記配線用管体１１は、アルミ製の中空状の管体であって、前述したように支柱２の下部間に架設されていて横桟を構成するものであるが、該配線用管体１１は、軸方向（長手方向）に沿って半割状に分割された第一管部材１２と第二管部材１３とから形成されている。そして、第一管部材１２は、後述する固定プレート１４を介して中間支柱２Ｂ、２Ｃに固定されるとともに、該中間支柱２Ｂ、２Ｃに固定された第一管部材１２に、第二管部材１３が着脱自在に取付けられるようになっている。
【００１３】
前記固定プレート１４は、面方向が中間支柱２Ｂ、２Ｃを構成する左右の支柱部材７ａ、７ｂの背面と平行となる状態で該支柱部材７ａ、７ｂの背面側に配されるプレート部材１４ａと、該プレート部材１４ａの前面から前方に突出形成される左右一対の取付片１４ｂと、これら左右一対の取付片１４ｂの間に位置する状態でプレート部材１４ａに開設される貫通孔１４ｃとを備えて形成されている。そして、固定プレート１４は、上記左右一対の取付片１４ｂを左右の支柱部材７ａ、７ｂにビス等の固定手段（図示せず）を介して固定することによって、左右の支柱部材７ａ、７ｂの背面側に該支柱部材７ａ、７ｂと所定間隔を存し、且つ、プレート部材１４ｂの左右外縁部が左右の支柱部材７ａ、７ｂよりも左右外方に突出する状態で支柱部材７ａ、７ｂに固定されるようになっている。
【００１４】
また、前記第一管部材１２は、左右方向に延びるプレート状の本体部１２ａと、該本体部１２ａの上下端部に形成され、開口側が互いに対向する上下の凹溝部１２ｂと、該上下の凹溝部１２ｂの背面側開口端部にそれぞれ形成される上下の係止受片１２ｃと、本体部１２ａの正面側上下縁部に形成される上下の係止受部１２ｄとを備えて形成されている。そして、該第一管部材１２を左右に隣接する中間支柱２Ｂ、２Ｃ間に架設する場合には、第一管部材１２の左側端部は、左側に位置する中間支柱２Ｂ、２Ｃに固定される固定プレート１４の右部に固定され、また、第一管部材１２の右側端部は、右側に位置する中間支柱２Ｂ、２Ｃに固定される固定プレート１４の左部に固定されることになるが、この場合、固定プレート１４のプレート部材１４ａの取付片１４ｂよりも左右外方側部位の上下端部に、第一管部材１２の左右端部の上下の凹溝部１２ｂを嵌合させ、この状態でプレート部材１４ａと第一管部材本体部１２ａとをビス等の固定手段１５により固定することによって、第一管部材１２は固定プレート１４を介して中間支柱２Ｂ、２Ｃに固定されるようになっている。
【００１５】
一方、第二管部材１３は、左右方向に延びる縦断面円弧状の本体部１３ａと、該本体部１３ａの上下部に形成される上下の係止片１３ｂおよび上下の係止突部１３ｃとを備えて形成されている。そして、該第二管部材１３は、前記支柱２に固定された第一管部材１２に対し、第二管部材本体部１３ａの円弧内側を第一管部材本体部１２ａの背面に対向させた状態で第一管部材１２側に向けて押し付けることで、第一管部材１２の係止受片１２ｃに第二管部材１３の係止片１３ｂが係止するとともに、第一管部材１２の係止受部１２ｄに第二管部材１３の係止突部１３ｃが係止するようになっており、これにより第二管部材１３を第一管部材１２に着脱自在に取付けできるようになっている。そして、このようにして第二管部材１３を第一管部材１２に取付けることによって、中空状の配線用管体１１が形成されるようになっている。
【００１６】
また、前記配線用管体１１は、端末支柱２Ａに対しては、該端末支柱２Ａの側面部２ａに開設された貫通孔（図示せず）を介して端末支柱２Ａの内部と連通する状態で端末支柱２Ａの側面部２ａに支持されている。そして、端末支柱２Ａの電源ボックス５から端末支柱２Ａの内部に引き出された電気配線１６は、端末支柱２Ａの内部から配線用管体１１の管体内を通って順次各中間支柱２Ｂ、２Ｃに至るとともに、第一中間支柱２Ｂにおいては、配線用管体１１から引き出された電気配線１６が固定プレート１４の貫通孔１４ｃを通って左右の支柱部材７ａ、７ｂ間に配設の照明装置６に接続されるようになっている。
【００１７】
ここで、前記電気配線１６を配線用管体１１に配線する場合、あるいは、メンテナンス等で電気配線１６を外したり再配線するような場合には、第二管部材１３を第一管部材１２に取付ける前の段階、あるいは第二管部材１３を第一管部材１２から取外した状態で行う。これにより、電気配線１６を容易且つ短時間で行うことができるようになっている。
【００１８】
叙述の如く構成された本実施の形態において、防護柵１は、間隔を存して配設される複数の支柱２と、これら支柱２間に架設される横桟（ワイヤー１０、配線用管体１１）と、支柱２に装備される照明装置６とを備えて構成されているが、前記横桟の一つである配線用管体１１は中空状の管体であって、該中空状の配線用管体１１の管体内を通して、前記照明装置６への電気配線１６が行われることになる。しかも、前記配線用管体１１は、該配線用管体１１の軸方向に沿って分割された第一管部材１２と第二管部材１３とを用いて形成され、第二管部材１３は、支柱２に固定された第一管部材１２に着脱自在に取付けられる構成になっている。
【００１９】
而して、防護柵１の支柱２に装備される照明装置６への電気配線１６は、防護柵１の横桟である中空状の配線用管体１１の管体内を通して行われることになるが、該配線用管体１１は、支柱２に固定される第一管部材１２と、該第一管部材１２に着脱自在に取付けられる第二管部材１３とから形成されているから、第二管部材１３を第一管部材１２に取付ける前、あるいは第二管部材１３を第一管部材１２から取外した状態で、電気配線１６の配線工事や取外し工事、点検等のメンテナンスを行えることになって、電気配線１６の配線工事やメンテナンスを容易且つ短時間で行えることになる。しかも、電気配線１６を配線用管体１１によって保護された状態で配線できるとともに、該配線用管体１１は防護柵１の横桟を構成するものであるから、横桟を利用して電気配線１６を行えることになって、部材の兼用化、コスト軽減に貢献できる。
【００２０】
しかもこのものにおいて、前記配線用管体１１はアルミ製であるから、該配線用管体１１の内部に配される電気配線１６を確実に保護できるとともに、防護柵１の横桟としての強度にも優れる。
【００２１】
尚、本考案は上記実施の形態に限定されないことは勿論であって、例えば、上記実施の形態では、配線用管体以外の横桟としてワイヤーが用いられているが、これに限らず、例えばパイプ等からなる横桟でも良く、また、配線用管体以外の横桟が設けられていなくても良い。
【産業上の利用可能性】
【００２２】
本考案は、防護柵等の柵体において照明装置を設ける場合に利用することができる。
【符号の説明】
【００２３】
１    防護柵
２    支柱
６    照明装置
１１  配線用管体
１２  第一管部材
１３  第二管部材
１６  電気配線
【図１】
0003204268.tif 000003
【図２】
0003204268.tif 000004
【図３】
0003204268.tif 000005